(57)【特許請求の範囲】
【請求項１】
パイプ状に形成した第一主軸に、前記第一主軸の内径より小径な外径を有するパイプ状又は棒状に形成した第二主軸を挿入し、かつ着脱自在な固定手段により第一主軸及び第二主軸を連結するとともに、第一主軸と第二主軸を連結した状態で最大限の見掛け長とした場合に、少なくともその半分以上の長さを有する砕土棒の一端を、前記第一主軸及び第二主軸の一端に直接的又は間接的に連結し、前記砕土棒の他端が互いに横並びに向き合う状態に配設したことを特徴とする中耕機用砕土転動体。
【発明の詳細な説明】
【０００１】
【産業上の利用分野】
この発明は、畑において広狭異なる畝間に自在に適用させ使用することができるようにした中耕機用砕土転動体に関するものである。
【０００２】
【従来の技術】
中耕機は、畑に植えた植物の畝間の土壌を掘り起こすために用いられる農機具の一種である。
【０００３】
すなわち、畑に植物、具体的には種子を蒔き、これの発芽後、収穫時までの間、前記畝間を掘り起こして土中に酸素を供給し、あるいは水はけをよくし、かつ保温性を高めることにより、植物の発育を促進し、あわせて除草効果を得る目的で、前記の期間中、適当時期を選んで約３〜４回中耕するのである。
【０００４】
このために従来一般に用いられていた砕土転動体は図２に示すように、１本の軸ａの両端に円盤ｂを配設し、これら両円盤ｂを連結するように複数本の砕土棒ｃを前記円盤ｂの外周に沿って一定間隔で連結されていたのである。したがってここに示す従来の砕土転動体は、一旦組み立てられた後は前記円盤ｂの間隔は、これを変えることができない構造に形成されていたのである。
【０００５】
ところで畑において作物を植えつけ又は播種するためには、通常前記のように畝を造成することはきわめて一般的であるところ、この畝の間隔は、作物の種類によって必ずしも一定ではなく、広狭異なることも一般的である。
【０００６】
【発明が解決しようとする課題】
したがって広狭異なる畝間を前記のように砕土する場合は、広い畝間には前記砕土棒ｃの長いもの、すなわち両円盤ｂ間の広いものを、また狭い畝間を砕土する場合は、前記砕土棒ｃの短いもの、すなわち両円盤ｂ間の狭いものを用いる必要があった。
【０００７】
この砕土転動体はトラクター等により牽引される中耕機のフレーム等に５個程度取り付け使用されていたものであるが、広狭異なる場所で用いる場合には、当然のことながらこの砕土転動体をその場所に相応するものと交換しなければならず、その交換作業も煩雑であるのみならず、大きさの異なる砕土転動体を常に準備する必要がもある。
【０００８】
特に広大な農地を有する農家にあっては、作付けする作物も複数種類に及ぶため、多種類の砕土転動体を用意することは、経済的にも決して容易なことではないのが現実である。
【０００９】
【課題を解決するための手段】
そこでこの発明に係る中耕機用砕土転動体は前記の課題を解決するために、パイプ状に形成した第一主軸に、前記第一主軸の内径より小径な外径を有するパイプ状又は棒状に形成した第二主軸を挿入し、かつ着脱自在な固定手段により第一主軸及び第二主軸を連結するとともに、第一主軸と第二主軸を連結した状態で最大限の見掛け長とした場合に、少なくともその半分以上の長さを有する砕土棒の一端を、前記第一主軸及び第二主軸の一端に直接的又は間接的に連結し、前記砕土棒の他端が互いに横並びに向き合う状態に配設したものである。
【００１０】
【作用】
すなわちこの発明に係る中耕機用砕土転動体にあっては、前記固定手段を解除することによって前記第一及び第二主軸を互いにスライドせしめて畝間の幅に合わせ、かつ固定手段により前記第一及び第二主軸を固定することができるのみならず、前記両主軸の見掛け長を最大限に長くしても砕土棒全体によって籠状を呈することができるのである。
【００１１】
【発明の実施の形態】
次にこの発明に係る中耕機用砕土転動体の実施の形態を図１に基づいて述べると、１はパイプ状に形成した第一主軸であり、２は前記第一主軸１の内径より小径な外径を有するパイプ状又は棒状に形成した第二主軸である。
【００１２】
３は前記第二主軸２を第一主軸１に挿入した後、これらを固定するための固定手段であり、その最も簡易な手段は、前記第一主軸１に、その長手方向に沿って適当間隔に螺孔４を形成し、第一主軸１の外側からこの螺孔４に対して螺子５を螺着するとともに、この螺子５の端部を第二主軸２の外周面に強固に圧着するものである。尚、この場合、より確実に固着するためには、前記第一主軸１に前記のように螺孔４を形成するとともに、第二主軸２の外周に、円周方向に環状凹溝を形成し、この環状凹溝に前記螺孔４に螺着した螺子５の端部を圧着する方法又は第一主軸１及び第二主軸２の双方に共通する貫通孔を形成し、これにピンを挿通する方法もある。
【００１３】
６は第一主軸１及び第二主軸２の一端に固着した円盤であり、７はこの円盤６に一端を溶接等の手段により強固に連結した砕土棒である。したがって砕土棒７の他端は、いわゆる自由端としてある。尚、上記において円盤６は、前記砕土棒７を第一主軸１及び第二主軸２に対して間接的に連結するために必要とするものであるため、特に円形のものである必要はなく、例えば第一主軸１及び第二主軸２のそれぞれの一端部に適当間隔を保持して放射状に伸びる棒状又は板状のものであってもかまわず、また砕土棒７を適当な角度に曲折形成すれば、角板であってもかまわない。さらには砕土棒７の一端を第一主軸１及び第二主軸２に溶接等の手段により直接連結することも可能である。
【００１４】
いずれにしても前記のように一端が連結された砕土棒７は、他端が互いに横並びに向き合う状態に配設するものとする。尚、前記砕土棒７の一端が自由端となることに鑑み、砕土作業時の加圧力が弱まる懸念がある場合は、互いに向き合う砕土棒７の自由端側をパイプ状又はリング状のものにより仮止めして使用してもよい。
【００１５】
前記のように第一主軸１及び第二主軸２は、非固定時においては互いにスライド可能に形成してあるが、スライドせしめて第一主軸１及び第二主軸２を最大限の見掛け長にし、かつ固定した場合の長さをｘとした場合、各砕土棒７の長さは２分のｘ以上の長さに形成してある。
【００１６】
しかして前記固定手段３を解除することにより第一主軸１及び第二主軸２は互いにスライドすることが可能になるので、これを使用する畝の間隔、すなわち砕土幅に合わせて前記固定手段３により固定する。そして従来と同様の方法により使用するのである。
【００１７】
【発明の効果】
前記のようにこの発明に係る中耕機用砕土転動体は前記の課題を解決するために、パイプ状に形成した第一主軸に、前記第一主軸の内径より小径な外径を有するパイプ状又は棒状に形成した第二主軸を挿入し、かつ着脱自在な固定手段により第一主軸及び第二主軸を連結するとともに、第一主軸と第二主軸を連結した状態で最大限の見掛け長とした場合に、少なくともその半分以上の長さを有する砕土棒の一端を、前記第一主軸及び第二主軸の一端に直接的又は間接的に連結し、前記砕土棒の他端が互いに横並びに向き合う状態に配設してあるので、前記固定手段を解除することによって前記第一及び第二主軸を互いにスライドせしめて畝間の幅に合わせ、かつ固定手段により前記第一及び第二主軸を固定することによって畝間の砕土幅に自在に調節することができるのみならず、前記両主軸の見掛け長を最大限に長くしても砕土棒全体によって籠状を呈することができるという効果を有するのである。
【図面の簡単な説明】
【図１】この発明に係る中耕機用砕土転動体の一実施例を示す断面図である。
【図２】従来例を示す断面図である。
【符号の説明】
１  第一主軸
２  第二主軸
３  固定手段
４  螺孔
５  螺子
６  円盤
７  砕土棒
【図１】
0003990800.tif 000002
【図２】
0003990800.tif 000003